(57)【要約】【課題】  壁自体をより有効に活用できるようになる建物の壁収納構造を提供すること。【解決手段】  腰壁６に対して回動自在に取り付けられ、バルコニー１の腰壁６の内部に形成された収納空間２６から収納物を出し入れするための開口部３０を上下方向に開閉自在に覆うための覆い部材３１に、開口部３０が開口しているときには鉛直下方へ延出する左右一対の脚部材３３を取り付ける。開口部３０が開口しているときには左右の脚部材３３の先端部が図示しない床へ当接することで覆い部材３１が水平姿勢又は略水平姿勢を保持する。【選択図】  図５
2006193931.tif 000002
【特許請求の範囲】
【請求項１】
壁の内部に収納空間が形成されているとともに、前記壁には、前記収納空間から収納物を出し入れするための開口部が形成され、かつ、この開口部を開閉自在に覆うための覆い部材が取り付けられている建物の壁収納構造において、前記開口部が開口しているときには前記覆い部材を水平姿勢又は略水平姿勢に保持するための水平姿勢保持手段を備えていることを特徴とする建物の壁収納構造。
【請求項２】
請求項１に記載の建物の壁収納構造において、前記覆い部材は、前記壁に対して回動自在に取り付けられ、前記開口部を上下方向に開閉自在に覆うものとなっていることを特徴とする建物の壁収納構造。
【請求項３】
請求項２に記載の建物の壁収納構造において、前記水平姿勢保持手段は、一端が前記覆い部材に結合されるとともに、他端が前記壁に結合される紐状部材で構成され、前記開口部が開口しているときには前記紐状部材の緊張により前記覆い部材が水平姿勢又は略水平姿勢を保持するものであることを特徴とする建物の壁収納構造。
【請求項４】
請求項２に記載の建物の壁収納構造において、前記水平姿勢保持手段は、前記覆い部材に取り付けられていて前記開口部が開口しているときに鉛直下方に延出する脚部材で構成され、前記開口部が開口しているときには前記脚部材の先端部の床への当接により前記覆い部材が水平姿勢又は略水平姿勢を保持するものであることを特徴とする建物の壁収納構造。
【請求項５】
請求項４に記載の建物の壁収納構造において、前記脚部材は前記覆い部材に対して回動自在に取り付けられていることを特徴とする建物の壁収納構造。
【請求項６】
請求項２に記載の建物の壁収納構造において、前記覆い部材は、前記開口部を開閉自在に覆う覆い部と、前記開口部と同じ又は略同じ大きさ、形状を有していて前記覆い部が前記開口部を覆っているときに前記収納空間へ水平方向に延出する水平延出部とを含んで構成され、前記水平姿勢保持手段は、前記覆い部で構成され、前記覆い部が前記開口部を覆っている状態から前記覆い部材を１８０度又は略１８０度回動させることによる前記覆い部の前記壁の壁面への当接により前記水平延出部が水平姿勢又は略水平姿勢を保持するものであることを特徴とする建物の壁収納構造。
【請求項７】
請求項１〜６のいずれかに記載の建物の壁収納構造において、前記開口部は前記壁の厚さ方向に貫通して形成され、この開口部における貫通方向両端の開口端部のうちの一方の開口端部に前記覆い部材が配置され、他方の開口端部は透明又は半透明の透視部材で塞がれていることを特徴とする建物の壁収納構造。
【請求項８】
請求項１〜７のいずれかに記載の建物の壁収納構造において、前記壁はバルコニーの腰壁となっていることを特徴とする建物の壁収納構造。
【発明の詳細な説明】
【技術分野】
【０００１】
本発明は、収納空間が形成されている建物の壁収納構造に係り、例えば、建物内部における玄関の下駄箱付近の壁や廊下の壁、階段の壁、トイレの壁、バルコニーの腰壁やパラペット、外部廊下の壁、外部階段の壁等に利用できるものである。
【背景技術】
【０００２】
従来より、壁である腰壁の内部に収納空間を形成するとともに、この壁には、前記収納空間から収納物を出し入れするための開口部を形成し、かつ、この開口部を開閉自在に覆うための覆い部材である扉を取り付けた壁収納構造が知られている（例えば、特許文献１参照）。
【０００３】
この特許文献１に記載の腰壁は、見切り部と巾木との間に複数のパネルを並設して構成したものであり、このパネルの少なくとも１枚を扉とするとともに、この扉の裏面の間柱と間柱との間の空間を収納空間とし、前記扉の一端部が前記間柱に回動手段によって回動自在に蝶着されるものである。これにより、腰壁を構成するパネルの一部又は全部を収納部用の扉とし、その裏面に物品を収納することができるとともに、扉を開閉することによって、収納物を出し入れすることができるようになっている。
【０００４】
また、従来より、バルコニーの腰壁である側壁に、バルコニー内に開く蓋付きの収納庫を設けてある収納庫付きバルコニーが知られている（例えば、特許文献２参照）。
【特許文献１】特開２００３−２１３９２１号公報（段落番号０００４、図１）
【特許文献２】特開平７−２５９１８０号公報（段落番号０００５、図１）
【発明の開示】
【発明が解決しようとする課題】
【０００５】
ところで、特許文献１に記載の壁収納構造及び特許文献２に記載の収納庫付きのバルコニーは、ともに腰壁を収納空間として活用するためだけを目的としたものであるが、狭小スペースのバルコニーにおいては、腰壁を収納空間として活用できるだけでなく、他の用途にも活用できるものとすることが望まれている。
【０００６】
本発明の目的は、壁自体をより有効に活用できるようになる建物の壁収納構造を提供するところにある。
【課題を解決するための手段】
【０００７】
本発明に係る建物の壁収納構造は、壁内部に収納空間が形成されているとともに、前記壁には、前記収納空間から収納物を出し入れするための開口部が形成され、かつ、この開口部を開閉自在に覆うための覆い部材が取り付けられている建物の壁収納構造において、前記開口部が開口しているときには前記覆い部材を水平姿勢又は略水平姿勢に保持するための水平姿勢保持手段を有していることを特徴とするものである。
【０００８】
この建物の壁収納構造によると、平常時において、収納空間から収納物を出し入れするための開口部を覆っている覆い部材を、開口部が開口しているときには、水平姿勢又は略水平姿勢に保持することができる。
【０００９】
このため、開口部が開口しているときには、壁の一部を構成している覆い部材を、物を載せる台や人が座る椅子等として利用することができ、これにより、壁自体をより有効に活用できるようになる。
【００１０】
ここで、壁内部に形成されている収納空間の例として、壁が中実のものである場合には、壁の一部を刳り貫く（貫通も含む）ことにより形成された空間を挙げることができ、壁がパネル材等を組み合わせて構成したものである場合には、パネル材と中柱や横桟等とで囲まれた空間を挙げることができる。なお、これらの空間に別体の収納ボックスユニットを組み込んで、その内部を収納空間とすることでもよい。
【００１１】
また、覆い部材は、開口部と同じ形状を有するものでもよく、開口部とは異なる形状を有するものでもよい。覆い部材が開口部とは異なる形状を有する場合には、覆い部材は、開口部よりも大きな形状を有するものでもよく、開口部よりも小さな形状を有するものでもよいが、開口部を完全に覆う大きな形状を有するものであることがより好ましい。なお、覆い部材が水平姿勢保持手段となる部材と一体となって開口部を覆う場合には、覆い部材の形状は、開口部の形状よりも小さなものとなる。
【００１２】
覆い部材が開口部とは異なる形状を有する場合において、覆い部材の形状は任意であるが、物を載せやすい形状、人間が座りやすい形状であることがより好ましい。
【００１３】
また、覆い部材の材質は、壁の材質と同じものでもよく、異なるものでもよく、任意であるが、重い物を載せた場合や人が座った場合に、覆い部材が壊れにくい剛性を有した材質であることがより好ましい。
【００１４】
本発明において、覆い部材は、壁に対して回動自在に取り付けられていてもよく、回動不能に取り付けられていてもよい。
【００１５】
覆い部材が壁に対して回動自在に取り付けられるようにした場合には、覆い部材は、開口部を上下方向に開閉自在に覆うものでもよく、開口部を左右方向に開閉自在に覆うものでもよい。前者の場合には、回動操作の途中で覆い部材を水平姿勢又は略水平姿勢の状態にすることができるので、覆い部材は開口部を上下方向に開閉自在に覆うものとなっていることがより好ましい。
【００１６】
なお、覆い部材を壁に対して回動自在となるように壁に取り付ける手段は任意であり、例えば、壁又は覆い部材に固定された中心軸を中心に覆い部材が回動するようにしたもの、壁又は覆い部材に対して回転自在に支持された中心軸を中心に覆い部材が回動するようにしたもの等を挙げることができる。
【００１７】
覆い部材が壁に対して回動自在に取り付けられていて開口部を上下方向に開閉自在に覆うものとなっている場合には、覆い部材は、下端部が中心軸を中心に壁に対して回動自在であって覆い部材を上方から下方へ回動させることにより開口部が開口するものでもよく、上端部が中心軸を中心に壁に対して回動自在であって覆い部材を下方から上方へ回動させることにより開口部が開口するものでもよく、これらを複合させたもの（覆い部材の上方から下方への回動と下方から上方への回動の両方が可能ないわゆる両開きのもの）等でもよい。また、覆い部材が壁に対して回動自在に取り付けられていて開口部を左右方向に開閉自在に覆うものとなっている場合には、覆い部材は、左端部が中心軸を中心に壁に対して回動自在であって覆い部材を右方から左方へ回動させることにより開口部が開口するものでもよく、右端部が中心軸を中心に壁に対して回動自在であって覆い部材を左方から右方へ回動させることにより開口部が開口するものや、これらを複合させたもの（覆い部材の右方から左方への回動と左方から右方への回動の両方が可能ないわゆる両開きのもの）等でもよい。
【００１８】
覆い部材の下端部が中心軸を中心に壁に対して回動自在となっている場合の水平姿勢保持手段は任意であり、例えば、紐状部材や棒状部材（屈曲自在及び／又は伸縮自在であるものを含む）等で構成され、開口部が開口しているときにはこれらの部材で支持されることにより覆い部材が水平姿勢又は略水平姿勢を保持するものを挙げることができる。覆い部材の上端部が中心軸を中心に壁に対して回動自在となっている場合の水平姿勢保持手段も任意であり、例えば、棒状部材（屈曲自在及び／又は伸縮自在であるものを含む）で構成され、開口部が開口しているときにはこの棒状部材で支持されることにより覆い部材が水平姿勢又は略水平姿勢を保持するものを挙げることができる。
【００１９】
覆い部材が壁に対して回動自在に取り付けられ、開口部を上下方向に開閉自在に覆うものとなっている場合における本発明に係る建物の壁収納構造の第１の例として、水平姿勢保持手段は、一端が覆い部材に結合されるとともに、他端が壁に結合される紐状部材で構成され、開口部が開口しているときには紐状部材の緊張により覆い部材が水平姿勢又は略水平姿勢を保持するものを挙げることができる。
【００２０】
これによると、紐状部材という構造の簡単な部材のみで覆い部材を水平姿勢又は略水平姿勢に保持することができるようになる。また、紐状部材を用いることにより、開口部を覆い部材が覆っているときには、紐状部材を弛緩させて収納空間へ格納することが可能となるので、収納空間で紐状部材が邪魔になることが防止される。
【００２１】
ここで、紐状部材は、チェーン（環状部材を連鎖状につないだリンクを含む）でもよく、ワイヤでもよく、紐でもよく、要するに、覆い部材を水平姿勢又は略水平姿勢に保持することができ、かつ、覆い部材の上に物等を載せることに耐え得る材質で形成されたものであれば、任意である。
【００２２】
覆い部材及び壁に結合する紐状部材の数は、１個でもよく、複数個でもよく、任意であり、紐状部材を覆い部材及び壁に結合する箇所も任意である。
【００２３】
覆い部材を水平姿勢又は略水平姿勢に安定して保持することができ、かつ、水平姿勢又は略水平姿勢の状態にある覆い部材の上により幅寸法の大きな物等を載せることができるスペースを確保するには、覆い部材及び壁に結合する紐状部材の数を２個とし、紐状部材の一端を覆い部材に結合する箇所を、水平姿勢又は略水平姿勢の状態にある覆い部材における壁の厚さ方向外側の先端又はその近傍であって、覆い部材の両側端部又はその近傍の２箇所とし、紐状部材の他端を覆い部材に結合する箇所を、壁の内部であって、開口部の上辺部の両側端部又はその近傍の２箇所とすることが好ましい。
【００２４】
なお、紐状部材の一端は、覆い部材に対して取り付け、取り外し自在に結合されていてもよく、覆い部材に対して取り外し不能に結合されていてもよく、任意である。さらに、紐状部材の他端も、壁に対して取り付け、取り外し自在に結合されていてもよく、覆い部材に対して取り外し不能に結合されていてもよく、任意である。
【００２５】
紐状部材の一端が覆い部材に対して取り付け、取り外し自在に結合し、かつ、紐状部材の他端も壁に対して取り付け、取り外し自在に結合している場合には、紐状部材の交換が容易となる。
【００２６】
紐状部材の一端が覆い部材に対して取り付け、取り外し自在に結合し、かつ、紐状部材の他端が壁に対して取り外し不能に結合している場合には、紐状部材の一端を覆い部材から取り外すことにより、開口部を覆っている状態の覆い部材を１８０度回転させて、覆い部材全体を壁に当接させることができる。これにより、壁の開口部及びその周辺には壁の厚さ方向外側に突出する障害物がなくなるため、収納空間から収納物を出し入れしやすくなる。
【００２７】
覆い部材が壁に対して回動自在に取り付けられ、開口部を上下方向に開閉自在に覆うものとなっている場合における本発明に係る建物の壁収納構造の第２の例として、水平姿勢保持手段は、覆い部材に取り付けられていて開口部が開口しているときに鉛直下方に延出する脚部材で構成され、開口部が開口しているときには脚部材の先端部の床への当接により覆い部材が水平姿勢又は略水平姿勢を保持するものを挙げることができる。
【００２８】
これによると、覆い部材を水平姿勢又は略水平姿勢により安定して保持することができ、さらに、水平姿勢又は略水平姿勢の状態にある覆い部材の上により幅寸法の大きな物等を載せたり、人が座ったりするスペースを確保することができる。
【００２９】
ここで、脚部材の数は１個でもよく、複数個でもよい。脚部材の数を１個とした場合には、脚部材を、例えば、板状部材等で構成すればよく、脚部材の数を複数個とした場合には、脚部材を、例えば、水平方向の断面形状が円形又は四角形等の棒状部材等で構成すればよい。
【００３０】
また、脚部材は、覆い部材に対して取り付け、取り外し可能となっていてもよく、取り外し不能となっていてもよい。
【００３１】
また、脚部材の長さを伸縮調整できるようにしてもよい。これにより、覆い部材の水平調整が可能となる。具体的には、例えば、脚部材は鉛直方向へ伸縮自在となっていてもよい。これによると、脚部材の鉛直方向の長さが短すぎたり、長すぎたりするために覆い部材を所定の水平姿勢に保持できない場合には、脚部材を伸縮させることにより鉛直方向の長さを調整することができ、これにより、覆い部材を所定の水平姿勢に保持できる。
【００３２】
なお、脚部材の床等への当接部分には、合成樹脂やゴム等の当接緩衝部材を取り付けてもよい。
【００３３】
さらに、脚部材は、この脚部材の先端部から水平方向に延出する水平延出部を有していてもよい。これによると、水平姿勢又は略水平姿勢の状態を保持している覆い部材の安定性がより向上することになる。
【００３４】
また、脚部材は、覆い部材と一体となって開口部を覆うものとなっていてもよく、覆い部材が開口部を覆っているときには、壁の収納空間に配置されるものでもよい。
【００３５】
さらに、脚部材は、覆い部材に対して回動自在に取り付けられていてもよく、回動不能に取り付けられていてもよい。
【００３６】
なお、脚部材を覆い部材に対して回動自在となるように覆い部材に取り付ける手段は任意であり、例えば、覆い部材又は脚部材に固定された中心軸を中心に脚部材が回動するようにしたもの、覆い部材又は脚部材に対して回転自在に支持された中心軸を中心に脚部材が回動するようにしたもの等を挙げることができる。また、脚部材が回動する方向は、任意であり、例えば、上下方向でもよく、左右方向でもよい。
【００３７】
脚部材を覆い部材に対して回動自在に取り付けた場合の一例として、脚部材を中心軸で覆い部材に対して回動自在に取り付け、この脚部材が覆い部材と一体となって開口部を覆うものであり、覆い部材が水平姿勢又は略水平姿勢の状態になったときに、脚部材を上下方向に回動させることにより脚部材の先端部が床に当接するものを挙げることができる。
【００３８】
覆い部材が壁に対して回動自在に取り付けられ、開口部を上下方向に開閉自在に覆うものとなっている場合における本発明に係る建物の壁収納構造の第３の例として、覆い部材は、開口部を開閉自在に覆う覆い部と、開口部と同じ又は略同じ大きさ、形状を有していて覆い部が開口部を覆っているときに収納空間へ水平方向に延出する水平延出部とを含んで構成されており、水平姿勢保持手段は、覆い部で構成され、覆い部が開口部を覆っている状態から覆い部材を１８０度又は略１８０度回動させることによる覆い部の壁の壁面への当接により水平延出部が水平姿勢又は略水平姿勢を保持するものを挙げることができる。
【００３９】
これによると、覆い部が開口部を覆っている状態から覆い部材を１８０度又は略１８０度回動させることにより、覆い部が壁の壁面への当接で覆い部材を水平姿勢又は略水平姿勢に保持するための保持部材となるとともに、水平延出部が物を載せるための台や人が座る椅子となる。このため、前述の第２の例のように、覆い部材とは別部材である脚部材の先端部が床に当接していなければ覆い部材の水平姿勢又は略水平姿勢が保持されないということはなくなり、それだけ覆い部材の構造の簡単化を図ることができる。
【００４０】
なお、開口部が開口しているときに覆い部材の水平延出部を水平姿勢又は略水平姿勢により確実に保持するために、水平延出部を上向きに支持するための支持部材を水平延出部と覆い部との間に架設してもよい。この場合において、水平延出部を支持するための支持部材は、板状部材でもよく、棒状部材でもよい。
【００４１】
以上の本発明において、開口部は壁の厚さ方向に貫通して形成され、この開口部における貫通方向両端の開口端部のうちの一方の開口端部に覆い部材が配置され、他方の開口端部は透明又は半透明の透視部材で塞がれているようにしてもよい。
【００４２】
これによると、一方の開口端部を覆っている覆い部材を水平姿勢又は略水平姿勢の状態に保持し、この覆い部材の上に、例えば、花卉等を載せた場合には、この花卉等を一方の開口端部側から鑑賞できるとともに、透視部材で塞がれた他方の開口端部側からも鑑賞することができるようになる。
【００４３】
ここで、透視部材は、ポリカーボネート等の硬質樹脂やガラス等で形成されていてもよく、ビニール等の軟質樹脂で形成されてもよく、これらを複合したもので形成されていてもよく、任意である。
【００４４】
また、透視部材は、他方の開口端部に対して取り付け、取り外し自在となっていてもよく、取り外し不能となっていてもよい。
【００４５】
なお、本発明において、建物には、バルコニー等のような建物に付設される建物付設物が含まれる。
【００４６】
以上の本発明は、任意な建物の壁に適用することができ、例えば、建物内部における玄関の下駄箱付近の壁や廊下の壁、階段の壁、トイレの壁、バルコニーの腰壁や建物の屋上のパラペット、外部廊下の壁、外部階段の壁等に適用することができる。
【００４７】
本発明をバルコニーの腰壁やパラペットに適用した場合には、壁内部に物を収納することができるだけでなく、覆い部材を花卉等の飾り台や、人がくつろぐための椅子として活用することができる。
【００４８】
また、本発明を玄関の下駄箱付近の壁に適用した場合には、壁内部に履物等を収納することができるだけでなく、人が座る椅子として活用することができる。これにより、高齢者や身障者が椅子に座って楽に靴の履き替えをすることができるようになる。
【発明の効果】
【００４９】
本発明によると、建物の壁自体をより有効に活用できるようになるという効果を得られる。
【発明を実施するための最良の形態】
【００５０】
以下に本発明を実施するための形態を図面に基づいて説明する。図１は、本発明の建物の壁収納構造が適用される以下に説明する第１〜第４実施形態に係るバルコニー１の腰壁６全体の側面図を示すものである。
【００５１】
このバルコニー１は、住宅等の建物２の外壁３に付設されており、床４と、外壁３から屋外方向へ平行に延設される左右（図１では手前側と奥側）の腰壁６と、これらの左右の腰壁６における屋外方向の先端を繋ぐ前面（図１では左側）の腰壁６とから構成されている。それぞれの腰壁６の上部には等間隔又は略等間隔で取り付けられた複数個の支柱１２が取り付けられており、手摺り５がこれらの支柱を介して腰壁６に取り付けられている。
【００５２】
以下は、前面の腰壁６の収納構造について説明する。図２は、バルコニー１の腰壁６の斜視図であり、図３は、図２のＳ３−Ｓ３線断面図である。
【００５３】
まず、手摺り５及び支柱１２の取付構造について簡単に説明する。
【００５４】
図３に示されているように、支柱１２の内部に配置され、上下方向へ延びるアルミ合金製の押し出し成形品である中柱１３は、板材で形成されているベース部材１９のうちの折曲げで上方へ隆起した隆起部の上面に載せられ、このベース部材１９に形成された図示しない開口部から挿入されたビス２２が、中柱１３の図示しないビスポケットにねじ込まれることにより、中柱１３はベース部材１９上に立設固定される。また、ベース部材１９の平坦部は、ブラケット１８の凹部の上面に載せられる。
【００５５】
ベース部材１９とブラケット１８は、これらに形成された図示しない孔にビス２４をベース部材１９の上方から挿入し、このビス２４が腰壁６の天板８にねじ込まれることにより腰壁６に共締め結合され、ベース部材１９上に立設固定されている中柱１３は、ベース部材１９とブラケット１８を介して腰壁６に結合される。
【００５６】
断面形状が鉛直下方に開口する略コ字状に形成され、ブラケット１８に被せられて腰壁６の上端を覆うための笠木１０の下面には、板状の裏部材２０が配置され、笠木１０の上面には笠木１０と支柱１２との間に介設される板状の座部材２１が配置される。これらの裏部材２０、笠木１０、座部材２１には、中柱１３を挿通させるための図示しない孔が設けられている。
【００５７】
裏部材２０の下方からビス２３を裏部材２０、笠木１０、座部材２１に挿通し、さらにビス２３をアルミ合金製の押し出し成形品である支柱１２の図示しないビスポケットにねじ込むことにより、支柱１２は裏部材２０で補強された笠木１０の部分に座部材２１を介して立設固定される。
【００５８】
支柱１２が取り付けられた笠木１０を上方から徐々に降ろし、裏部材２０、笠木１０、座部材２１の各孔に中柱１３を挿入しながら、この中柱１３を支柱１２の内部まで入れて笠木１０をブラケット１８に被せ、笠木１０の幅方向両端の係止部１０Ａをブラケット１８の同方向の両端部１８Ａに係止することにより、笠木１０はブラケット１８に連結される。
【００５９】
なお、座部材２１と支柱１２との間、座部材２１と笠木１０との間は、図示しない防水シール部材で密着防水シールされている。
【００６０】
手摺り５は、笠木１１と底部材１４を有している。笠木１１は、断面形状が鉛直下方に開口する略Ｃ字状に形成され、この断面形状が腰壁６の長さ方向である左右方向に連続するものであり、笠木１１の開口部の縁部には、この笠木１１の内部に向かって延出する係合部１１Ａが、腰壁６の左右方向に連続して形成されている。
【００６１】
底部材１４は、手摺り５の基部をなすもので、板状部材で形成されており、腰壁６の左右方向への長さを有している。この底部材１４の両端部には、笠木１１の前記係合部１１Ａが係合する被係合部１４Ａが、腰壁６の左右方向に連続して形成されている。この底部材１４に上方から下方に２本のビス１７を挿通し、これらのビス１７を支柱１２の図示しないビスポケットにねじ込む。これにより、底部材１４は支柱１２に取り付けられる。また、この底部材１４には、支柱１２の中柱１３が挿入される図示しない開口部が形成されている。
【００６２】
底部材１４の開口部に下方から上方に向かって挿入された中柱１３の上端には、架設部材１５が載せられ、この架設部材１５は中央の高位の第１水平部と、両側の低位の第２水平部と、これらの水平部間を繋ぐ垂直部とからなる屈曲形状になっている。第１水平部に上方から下方に２本のビス１６を挿通し、これらのビス１６を中柱１３の図示しないビスポケットにねじ込む。これにより、架設部材１５は支柱１２と中柱１３とに架設固定される。
【００６３】
また、架設部材１５の下端部が底部材１４に当接することにより、この底部材１４は架設部材１５の下端部と支柱１２の上端部とに狭持されるので、中柱１３に底部材１４が取り付けられることになる。
【００６４】
そして、底部材１４の両端の被係合部１４Ａに笠木１１の両端の係合部１１Ａを係合させることにより、手摺り５が形成され、この手摺り５は支柱１２の上端で支持されることになる。
【００６５】
次に、本発明の第１〜第４実施形態に係るバルコニー１の腰壁６の全体構造について説明する。前述したように、図２は、バルコニー１の腰壁６の斜視図であり、図３は、図２のＳ３−Ｓ３線断面図である。また、図４は、バルコニー１の腰壁６の内部構造を示す斜視図である。
【００６６】
図４に示されているように、腰壁６は、この腰壁６の長さ方向である左右方向両端に配置されている図示しない両端柱と、これらの両端柱の間に等間隔又は略等間隔に複数個立設された中柱２５と、両端柱の上端と複数個の中柱２５の上端との間に架設された天板８と、互いに隣接する中柱２５同士との間に水平に架設され、腰壁６の高さ方向である上下方向に複数個配置された横桟であって腰壁６を内部補強するための板状の横材９とで骨組みが形成され、これらの骨組みにおける屋外側の側面及び屋内側の側面には、表面材であるサイディング７がそれぞれ取り付けられている。そして、天板８の上面には、前述したように、鉛直下方に開口する略コ字状の断面形状が腰壁６の左右方向に連続する笠木１０が取り付けられている。
【００６７】
図４に示されているように、腰壁６の内部には、収納物を出し入れするための２個の収納空間２６，２７が、左右の中柱２５と、上下の横材９と、屋外側及び屋内側のサイディング７とに囲まれて形成されている。
【００６８】
図２に示されているように、腰壁６の内面となっている屋内側のサイディング７には、２個の収納空間２６，２７から収納物を出し入れするための２個の開口部３０，４０がそれぞれ形成されている。そして、腰壁６には、この腰壁６に対して回動自在に取り付けられ、開口部３０，４０を上下方向に開閉自在に覆う覆い部材３１，４１が取り付けられている。
【００６９】
以下、開口部３０が覆い部材３１で覆われる収納空間２６が形成されるバルコニー１の腰壁６の収納構造を第１実施形態とし、開口部４０が覆い部材４１で覆われる収納空間２７が形成されるバルコニー１の腰壁６の収納構造を第２実施形態とし、最初に、本発明の第１実施形態に係るバルコニー１の腰壁６の収納構造について詳細に説明する。
【００７０】
図５は、図２において、開口部３０，４０を覆っている覆い部材３１，４１を屋内側下方向へ回動させて、開口部３０，４０を開口したときの状態を示す斜視図である。図５に示されているように、開口部３０，４０が開口しているときには、覆い部材３１，４１は、具体的な構造を後述する水平姿勢保持手段により水平姿勢又は略水平姿勢を保持している。
【００７１】
図２及び図５に示されているように、開口部３０は、腰壁６のサイディング７に形成され、横長の長方形の形状を有している。
【００７２】
図３及び図４に示されているように、上下の横材９のうち、上の横材９が収納空間２６の天井部となっており、下の横材９が収納空間２６の床部となっている。
【００７３】
図２に示されているように、覆い部材３１は、開口部３０の幅方向である左右方向の幅寸法よりも短い幅寸法を有する幅狭部３１Ａと、開口部３０の左右方向の幅寸法と同じ又は略同じ幅寸法を有する幅広部３１Ｂとからなっている。また、覆い部材３１の厚さ寸法は、サイディング７の厚さ寸法と同じ又は略同じとなっており、覆い部材３１が開口部３０を覆っているときには、サイディング７の表面と覆い部材３１の表面とは段差のない、いわゆる、面一又は略面一の状態となっている。
【００７４】
また、図２に示されているように、覆い部材３１が開口部３０を覆っているときにおける幅狭部３１Ａの上部における幅方向中央部又は略中央部には、開口部３０を開口する際に覆い部材３１に手を掛けるための手掛け部３１Ｄが形成されている。この手掛け部３１Ｄは、開口部３０の左右方向に長い凹状の溝となっている。
【００７５】
図６及び図７は、腰壁６に形成された開口部３０及び覆い部材３１等の拡大斜視図である。
【００７６】
図３及び図６に示されているように、覆い部材３１の幅広部３１Ｂの内部には、この幅広部３１Ｂよりも長い長さ寸法を有する中心軸３２が貫通しており、幅広部３１Ｂはこの中心軸３２を中心として回動自在となっている。
【００７７】
図６に示されているように、中心軸３２の左右端部は、腰壁６の内部に配置されていて収納空間２６の床部をなす下の横材９のうち、端面がサイディング７の表面と面一又は略面一となるように屋内側へ突出する左右一対の凸部９Ｂ（図３参照）に形成された孔に挿入、結合されている。このため、覆い部材３１は、中心軸３２を中心に腰壁６に対して回動自在となっており、開口部３０を上下方向に開閉自在に覆うものとなっている。
【００７８】
一方、図２に示されているように、覆い部材３１の幅狭部３１Ａの左右両側には、開口部３０が開口しているときには覆い部材３１を水平姿勢又は略水平姿勢に保持するための水平姿勢保持手段となっている左右一対の脚部材３３が配置されており、これらの脚部材３３は、覆い部材３１と一体となって開口部３０を覆うものとなっている。それぞれの脚部材３３は、図５に示されているように、開口部３０が開口しているときに鉛直下方に延出する鉛直延出部３３Ａと、この鉛直延出部３３Ａの先端から屋外側へ水平方向に延出する水平延出部３３Ｂとを有している。
【００７９】
図３に示されているように、覆い部材３１が開口部３０を覆っているときにおける幅狭部３１Ａの上端部の内部に形成されている貫通孔には、この幅狭部３１Ａよりも長い長さ寸法を有する回転中心軸３４が貫通しており、この回転中心軸３４は幅狭部３１Ａの上端部の内部で回動自在となっている。
【００８０】
そして、図７に示されているように、回動中心軸３４の左端部は、左側の脚部材３３の鉛直延出部３３Ａのうちの水平延出部３３Ｂが形成されていない端部の内部に形成された貫通孔に挿入、結合されており、回動中心軸３４の右端部は、右側の脚部材３３の鉛直延出部３３Ａのうちの水平延出部３３Ｂが形成されていない端部の内部に形成された貫通孔に挿入、結合されている。このため、左右の脚部材３３は、回動中心軸３４を中心に覆い部材３１に対して回動自在となっている。
【００８１】
収納空間２６の床部をなす下の横材９に形成された前述の左右一対の凸部９Ｂと同様に、図４に示されているように、収納空間２６の天井部をなす上の横材９にも、端面がサイディング７の表面と面一又は略面一となるように屋内側へ突出する凸部９Ａが形成されている。また、図６に示されているように、凸部９Ａの左右方向の幅寸法は、開口部３０の左右方向の幅寸法と同一又は略同一となっている。
【００８２】
図３及び後述の図９に示されているように、凸部９Ａの下部は、屋内側に向かって厚さが薄くなるように切り欠かれた切欠部９Ｃとなっており、図３に示されているように、覆い部材３１が開口部３０を覆うときには、覆い部材３１の幅狭部３１Ａの上端部の端面に設けられたはずれ防止手段である抜け止め防止部材３５は、切欠部９Ｃで押圧されることになる。これにより、覆い部材３１が開口部３０からはずれることが防止されるとともに、開口部３０がより密接に閉鎖されることになる。なお、後述するように、左右の脚部材３３の鉛直延出部３３Ａのうちの水平延出部３３Ｂが形成されていない先端の端面にも抜け止め防止部材３５が設けられている。
【００８３】
また、覆い部材３１の幅広部３１Ｂの左右端部のうち、左右の脚部材３３の鉛直延出部３３Ａの先端の端面と対向する部分は、後述の図１１で左右のうちの一方が示されているように、鉛直上方に向かって厚さが薄くなるように切り欠かれた切欠部３１Ｃとなっている。一方、左右の脚部材３３の鉛直延出部３３Ａの先端の端面には、後述の図１１で左右のうちの一方が示されているように、左右の脚部材３３が覆い部材３１からはずれないようにするためのはずれ防止手段である抜け止め防止部材３６が設けられている。
【００８４】
後述の図１２に示されているように、左右の脚部材３３が、水平姿勢又は略水平姿勢の状態にある覆い部材３１の左右に配置されて、覆い部材３１と一体となるときには、左右の脚部材３３の抜け止め防止部材３６は、覆い部材３１の幅広部３１Ｂの左右端部に形成された切欠部３１Ｃで押圧されることになる。これにより、左右の脚部材３３が覆い部材３１からはずれることが防止され、左右の脚部材３３が覆い部材３１と一体となっている状態が保持されるとともに、開口部３０がより密接に閉鎖されることになる。
【００８５】
前述の図６及び図７と、図８は、腰壁６に形成された開口部３０と覆い部材３１と左右の脚部材３３の拡大斜視図を示すものであり、開口部３０が覆い部材３１で覆われている状態から、開口部３０が開口され、覆い部材３１が水平姿勢又は略水平姿勢を保持する状態となるまでの一連の動作を示す図である。なお、図６〜図８において、腰壁６の内部に配置されている中柱２５の表示は省略し、上下２枚の横材９を点線で表示する。
【００８６】
図６は、覆い部材３１が開口部３０を覆っている状態を示すものである。この状態において、開口部３０を開口するためには、覆い部材３１の幅狭部３１Ａに形成されている手掛け部３１Ｄに手を掛けて覆い部材３１を屋内側下方向へ、すなわち、矢印Ｂ方向（図では矢印Ａ方向）へ９０度又は略９０度回動させる。なお、覆い部材３１を回動させたとき、この覆い部材３１の幅狭部３１Ａの左右両側に配置されている左右の脚部材３３は、前述したように、これらの脚部材３３の鉛直延出部３３Ａの先端の端面に設けられている抜け止め防止部材３６で覆い部材３１の幅広部３１Ｂの左右端部に形成された切欠部３１Ｃで抜け止めされた状態となっているので、左右の脚部材３３は、覆い部材３１と一体となって回動する。
【００８７】
覆い部材３１を矢印Ｂ方向に回動させ、図７に示すように、覆い部材３１が水平姿勢又は略水平姿勢となった時点で、今度は、左右の脚部材３３を屋内側上下方向である矢印Ｃ方向に２７０度又は略２７０度回動させる。これにより、図８に示されているように、脚部材３３の鉛直延出部３３Ａの鉛直下方の先端の端面、言い換えると、底面は、図示しない床４に当接するとともに、脚部材３３の水平延出部３３Ｂの底面も床４に当接する。
【００８８】
これにより、覆い部材３１は、水平姿勢保持手段となっている左右一対の脚部材３３により水平姿勢又は略水平姿勢が保持されることになる。
【００８９】
前述したように、図３に示すとおり、上下２枚の横材９のうちの収納空間２６の底部をなす上の横材９の凸部９Ａの下部は、屋内側に向かって厚さが薄くなるように切り欠かれた切欠部９Ｃとなっており、覆い部材３１の幅狭部３１Ａの上端部の端面には抜け止め防止部材３５が設けられている。
【００９０】
以下、上の横材９の凸部９Ａの切欠部９Ｃ及び覆い部材３１の幅狭部３１Ａの抜け止め防止部材３５について、図９及び図１０により詳細に説明する。
【００９１】
図９は、図７のＳ９−Ｓ９線断面図であり、覆い部材３１及び左右の脚部材３３が水平姿勢又は略水平姿勢を保持している状態における断面図である。また、図１０は、図９において、覆い部材３１及びこの覆い部材３１と一体となっている左右の脚部材３３を矢印Ｄ方向に９０度又は略９０度回動させることにより、開口部３０が覆い部材３１及び左右の脚部材３３で覆われているときの状態における断面図である。
【００９２】
図９に示されているように、上下の横材９のうちの上の横材９の凸部９Ａの下部は、この凸部９Ａの厚さが屋内側、言い換えると、建物２側に向かって薄くなるように切り欠かれた切欠部９Ｃとなっている。一方、覆い部材３１の幅狭部３１Ａにおける屋内側（開口部３０を覆っているときには上側）の端部の端面全体に亘って、厚さ寸法が均一又は略均一となっており、ゴム等の弾性を有する弾性部材が接着等によって結合されており、この弾性部材がはずれ防止手段である抜け止め防止部材３５となっている。
【００９３】
なお、後述の図１１に示されているように、右側の脚部材３３の鉛直延出部３３Ａのうちの水平延出部３３Ｂが形成されていない先端の端面にも抜け止め防止部材３５が設けられており、図示されていないが、左側の脚部材３３の鉛直延出部３３Ａのうちの水平延出部３３Ｂが形成されていない先端の端面にも抜け止め防止部材３５が設けられている。
【００９４】
なお、これらの抜け止め防止部材３５の厚さ寸法は、横材９の凸部９Ａの下部から切り欠かれた部分の最大厚さ寸法と同じ又は略同じとなっている。
【００９５】
図９において、覆い部材３１を左右の脚部材３３とともに矢印Ｄ方向に９０度又は略９０度回動させると、図１０で示されているように、覆い部材３１の幅狭部３１Ａ及び左右の脚部材３３が開口部３０に挿入されていくが、このとき、覆い部材３１の幅狭部３１Ａ及び左右の脚部材３３に設けられた抜け止め防止部材３５は、切欠部９Ｃで押圧されながら開口部３０に挿入されていく。
【００９６】
このため、覆い部材３１及び左右の脚部材３３が開口部３０を完全に覆っている状態においては、抜け止め防止部材３５が切欠部９Ｃで押圧されることで蓄圧される反発弾性力により、覆い部材３１及び左右の脚部材３３が開口部３０からはずれてしまうことが防止されることになる。
【００９７】
また、前述したように、覆い部材３１の幅広部３１Ｂの左右端部のうち、左右の脚部材３３の鉛直延出部３３Ａの先端の端面と対向する部分は、鉛直上方に向かって厚さが薄くなるように切り欠かれた切欠部３１Ｃとなっている。一方、左右の脚部材３３の鉛直延出部３３Ａの先端の端面には、左右の脚部材３３が覆い部材３１の幅広部３１Ｂからはずれないようにするためのはずれ防止手段である抜け止め防止部材３６が設けられている。
【００９８】
以下、覆い部材３１の幅広部３１Ｂの切欠部３１Ｃ及び左右一対の脚部材３３に設けられた抜け止め防止部材３６について、図１１〜図１３により詳細に説明する。
【００９９】
図１１は、図８のＳ１１−Ｓ１１線断面図であり、覆い部材３１を水平姿勢又は略水平姿勢の状態に保持するために、左右の脚部材３３の鉛直延出部３３Ａの先端の端面が図示しない床４に当接しているときの状態における右側の脚部材３３の断面図である。また、図１２は、図１１において、左右の脚部材３３を矢印Ｅ方向に２７０度又は略２７０度回動させることにより、左右の脚部材３３が覆い部材３１の幅狭部３１Ａの左右両側に配置され、水平姿勢又は略水平姿勢を保持している状態における右側の脚部材３３の断面図である。さらに、図１３は、図１２における右側の脚部材３３の拡大断面図である。
【０１００】
図１１に示されているように、覆い部材３１の幅広部３１Ｂの右端部のうち、右側の脚部材３３の鉛直延出部３３Ａの先端の端面と対向する部分は、鉛直上方に向かって厚さが薄くなるように切り欠かれた切欠部３１Ｃとなっている。一方、右側の脚部材３３の鉛直延出部３３Ａの先端の端面には、ゴム等の弾性を有する弾性部材が接着等によって結合されており、この弾性部材がはずれ防止手段となっている抜け止め防止部材３６となっている。これと同様に、図示されていないが、覆い部材３１の幅広部３１Ｂの左端部のうち、左側の脚部材３３の鉛直延出部３３Ａの先端の端面と対向する部分も、鉛直上方に向かって厚さが薄くなるように切り欠かれた切欠部３１Ｃとなっている。一方、左側の脚部材３３の鉛直延出部３３Ａの先端の端面にも、ゴム等の弾性を有する弾性部材が接着等によって結合されており、この弾性部材がはずれ防止手段となっている抜け止め防止部材３６となっている。
【０１０１】
なお、左右の脚部材３３に設けられた抜け止め防止部材３６の厚さ寸法は、覆い部材３１の幅広部３１Ｂの左右端部から切り欠かれた部分の最大厚さ寸法と同じ又は略同じとなっている。
【０１０２】
図１１の状態において、左右の脚部材３３を矢印Ｅ方向に２７０度又は略２７０度回動させると、図１２で示されているように、左右の脚部材３３は覆い部材３１と同様に水平姿勢又は略水平姿勢の状態となり、このとき、左右の脚部材３３に設けられた抜け止め防止部材３６は、切欠部３１Ｃで押圧されながら覆い部材３１の幅広部３１Ｂの左右端部に挿入されていく。
【０１０３】
このため、左右の脚部材３３が覆い部材３１とともに水平姿勢又は略水平姿勢の状態となっているときにおいては、左右の脚部材３３に設けられている抜け止め防止部材３６が切欠部３１Ｃで押圧されることで蓄圧される反発弾性力により、左右の脚部材３３は、覆い部材３１の幅広部３１Ｂの左右端部からはずれてしまうことが防止されることになる。
【０１０４】
以上説明した本実施形態に係るバルコニー１の腰壁６の収納構造では、バルコニー１の腰壁６の内部には収納空間２６が形成されているとともに、腰壁６の屋内側のサイディング７には、収納物を出し入れするための開口部３０が形成され、かつ、開口部３０を上下方向に開閉自在に覆うための覆い部材３１が取り付けられている。
【０１０５】
そして、この壁収納構造では、開口部３０が開口しているときには、覆い部材３１を水平姿勢又は略水平姿勢に保持するための水平姿勢保持手段が備えられており、この水平姿勢保持手段は、覆い部材３１に対して回動自在に取り付けられていて開口部３０が開口しているときに鉛直下方に延出する鉛直延出部３３Ａと、この鉛直延出部３３Ａの先端から屋外側、言い換えると、腰壁６側へ水平方向に延出する水平延出部３３Ｂとからなる左右一対の脚部材３３で構成されており、開口部３０が開口しているときには、左右の脚部材３３の鉛直延出部３３Ａの先端の端面が床４へ当接することにより覆い部材３１が水平姿勢又は略水平姿勢を保持するようになっている。
【０１０６】
これにより、開口部３０が開口しているときには、水平姿勢保持手段である左右一対の脚部材３３が床４に当接することで、通常時においては開口部３０を覆っている覆い部材３１を人が座る椅子や物を置く台として利用できるようになる。
【０１０７】
このため、本実施形態によると、バルコニー１の腰壁６自体をより有効に活用できるようになる。
【０１０８】
次に、第１実施形態に係る覆い部材３１及びこの覆い部材３１に取り付けられている脚部材３３の変形例を図２６〜図３０により説明する。図２６は、覆い部材３１の変形例である覆い部材２３１が腰壁６に形成された開口部３０を覆っている状態を示す拡大斜視図である。図２７は、図２６において覆い部材２３１を矢印Ｉ方向（上方から下方）へ回動させて水平姿勢又は略水平姿勢の状態にしたときを示す図であり、図２８は、図２７において、脚部材３３の変形例であって覆い部材２３１の上面における左右端部（覆い部材２３１の幅方向両端部）に載置されている左右一対の脚部材２３３を矢印Ｊ方向（上方から下方）へ回動させることにより、覆い部材２３１が水平姿勢また略水平姿勢を保持している状態を示す図である。また、図２９は、図２７に示す左右一対の脚部材２３３のうちの一方（左側）の脚部材２３３の拡大図であり、同様に、図３０は、図２８に示す左右一対の脚部材２３３のうちの一方（左側）の脚部材２３３の拡大図である。なお、図２６において、横材９の一部及び覆い部材２３１に取り付けられている脚部材２３３等の表示は省略している。
【０１０９】
覆い部材２３１は、図２６に示されているように、前述の第１実施形態とは異なり、開口部３０と略同じ形状を有している。また、図２７に示されているように、覆い部材２３１の下端部２３１Ａの内部には、覆い部材３１と同様に、下端部２３１Ａよりも長い長さ寸法を有する中心軸２３２が貫通しており、覆い部材２３１は中心軸２３２を中心として下の横材９に対して回動自在となっている。なお、覆い部材２３１には、覆い部材３１と同様に、開口部３０を開口する際に覆い部材２３１に手を掛けるための手掛け部２３１Ｄが形成されている。
【０１１０】
一方、覆い部材２３１を水平姿勢に保持するための左右一対の脚部材２３３は、図２８に示されているように、覆い部材２３１を水平姿勢に保持している状態において鉛直下方に延出する鉛直延出部２３３Ａと、この鉛直延出部２３３Ａにおける鉛直下方の先端部から腰壁６の方向（屋外側）へ水平に延出する第１水平延出部２３３Ｂと、鉛直延出部２３３Ａにおける鉛直下方の先端部からから腰壁６とは反対の方向（屋内側）へ水平に延出する第２水平延出部２３３Ｃとからなっており、脚部材２３３は逆Ｔ字形状を有している。
【０１１１】
図２７及び図２８に示されているように、左右の脚部材２３３はそれぞれヒンジ２３４で覆い部材２３１に連結されている。左右のヒンジ２３４の構造は全く同じであるので、以下、左側の脚部材２３３を覆い部材２３１に連結するヒンジ２３４の構造について図２９及び図３０により説明する。
【０１１２】
ヒンジ２３４は、図２９及び図３０に示されているように、覆い部材２３１の上端部２３１Ｂにおける左端部に結合されている左右一対のブラケット２３５と、両端部がブラケット２３５に固定支持されている中心軸２３６と、この中心軸２３６と脚部材２３３とを連結するための連結部材２３７とで構成されている。この連結部材２３７は、一部が脚部材２３３にビス等による止着、接着剤等による接着等で連結されている連結部２３７Ｂと、この連結部２３７Ｂにおける脚部材２３３に止着、接着等で連結されていない端部に形成されていて中心軸２３６が挿通される筒部２３７Ａとからなっている。このため、連結部材２３７及びこの連結部材２３７に連結されている脚部材２３３は、筒部２３７Ａに挿通されている中心軸２３６を中心に回動自在となっている。なお、図３０に示されているように、脚部材２３３が回動して鉛直方向へ直立したときには、鉛直延出部２３３Ａの鉛直上方の先端部の端面全体が覆い部材２３１の底面に密着して当接するように連結部材２３７の連結部２３７Ｂは脚部材２３３に連結している。
【０１１３】
第２水平延出部２３３Ｃは合成ゴムや合成樹脂等で形成されており、このため、脚部材２３３が収納されたときに、脚部材２３３が覆い部材２３１に当接したときの衝撃を和らげる役目もしている。また、図２９に示されているように、第２水平延出部２３３Ｃは、脚部材２３３が収納されたとき、脚部材２３３及び連結部材２３７が覆い部材２３１に対して平行姿勢となるような厚みを有している。なお、本変形例では、第２水平延出部２３３Ｃは、鉛直延出部２３３Ａ及び第１水平延出部２３３Ｂとは別体（合成ゴムや合成樹脂等）となっているが、第２水平延出部２３３Ｃを鉛直延出部２３３Ａ及び第１水平延出部２３３Ｂと同じ材質のもので形成し、第２水平延出部２３３Ｃが鉛直延出部２３３Ａ及び第１水平延出部２３３Ｂと一体物となるようにしてもよい。
【０１１４】
また、図２７に示されているように、覆い部材２３１の上端部の端面における左右端部（覆い部材２３１の幅方向両端部）には、脚部材２３３が矢印Ｊ方向へ回動したときに、ヒンジ２３４の連結部材２３７の連結部２３７Ｂが鉛直方向に直立した姿勢で収まるスペースを有する窪み部２３１Ｃが形成されている。これは、脚部材２３３が矢印Ｊ方向へ回動したときに、連結部材２３７の連結部２３７Ｂが覆い部材２３１の上端部の端面に当接して脚部材２３３が鉛直方向に直立できない場合を防止するためである。これにより、覆い部材２３１の水平姿勢が保持されることになる。
【０１１５】
なお、覆い部材２３１の上端部２３１Ｂの端面における左右の窪み部２３１Ｃの間には、覆い部材２３１が開口部３０を覆っているときに、覆い部材２３１が開口部３０からはずれることを防止するためのはずれ防止手段である図示しない抜け止め防止部材が設けられている。一方、上の横材９の凸部９Ａの下部は、屋内側に向かって厚さが薄くなるように切り欠かれた図示しない切欠部となっており、覆い部材２３１が開口部３０を覆うときには、覆い部材２３１の上端部の端面に設けられた前述の図示しない抜け止め防止部材が、図示しない切欠部で押圧されることになる。これにより、覆い部材２３１が開口部３０からはずれることが防止される。
【０１１６】
以上説明した本変形例では、脚部材２３３が覆い部材３１と脚部材３３のように覆い部材２３１と一体となって開口部３０を覆うものではなく、覆い部材２３１が開口部３０を覆うときには、脚部材２３３が収納空間２６に格納されるようになっている。
【０１１７】
このため、本変形例によると、覆い部材２３１の形状を覆い部材３１よりも大きいものとすることができるので、水平姿勢を保持しているときの覆い部材２３１の上にはより幅寸法の大きな物等を載せたりすることができる。
【０１１８】
また、本変形例によると、覆い部材２３１が開口部３０を覆うときには脚部材２３３が収納空間２６に収納されるので、覆い部材３１及び脚部材３３が一体となって開口部３０を覆う場合と比較して外観はより良好なものとなる。
【０１１９】
さらに、本変形例によると、脚部材２３３の先端部である第１水平延出部２３３Ｂ及び第２水平延出部２３３Ｃの床へ当接により、覆い部材２３１の水平姿勢がより安定して保持されることになる。
【０１２０】
次に、本発明の第２実施形態に係るバルコニー１の腰壁６の収納構造について図１４〜図１６により説明する。
【０１２１】
本実施形態に係るバルコニー１の腰壁６の収納構造は、前述の図４に示されているように、バルコニー１の腰壁６の内部に、左右の中柱２５と、上下の横材９と、屋外側及び屋内側のサイディング７とで囲まれた収納空間２７が形成され、腰壁６の屋内側のサイディング７には、収納空間２７から物を出し入れするための開口部４０が形成され、この開口部４０を上下方向に開閉自在に覆う覆い部材４１が腰壁６に対して回動自在に取り付けられるものである。開口部４０の大きさ、形状は、前述の第１実施形態の開口部３０と同じ又は略同じとなっている。
【０１２２】
図１４は、図２のＳ１４-Ｓ１４線断面図である。また、図１５は、図２おける開口部４０及びこの開口部４０を覆うための覆い部材４１の拡大斜視図であり、図１６は、図１５において、覆い部材４１を回動させて開口部４０を開口したときの状態を示すものである。
【０１２３】
図１５に示されているように、覆い部材４１は、開口部４０と同じ又は略同じ大きさで、腰壁６の長さ方向である左右方向に長い長方形の形状を有している。前述の第１実施形態と同様に、この覆い部材４１の下端部の内部には、覆い部材４１の幅寸法よりも長い中心軸４２が貫通しており、この中心軸４２の左右端部は、下の横材９の左右端部から屋内側へ突出する２個の凸部９Ｂに形成されている孔に挿入され、結合されている。このため、覆い部材４１は、中心軸４２を中心に腰壁６に対して上下方向に回動自在となっている。
【０１２４】
なお、図１４に示されているように、前述の第１実施形態と同様に、覆い部材４１の上端部の端面には抜け止め防止部材４３が設けられており、この抜け止め防止部材４３が上の横材９の凸部９Ａの切欠部９Ｃで押圧されている。このため、覆い部材４１が開口部４０からはずれることが防止されるとともに、開口部４０がより密接に閉鎖されるようになっている。
【０１２５】
図１４に示されているように、開口部４０を開口するためには、覆い部材４１の上部における中央部又は略中央部に形成されている手掛け部４１Ｂに手を掛けて、この開口部４０を覆っている覆い部材４１を矢印Ｆ方向、言い換えると、屋内側下方向へ９０度又は略９０度回動させる。
【０１２６】
図１５において、前述の第１実施形態と同様に、覆い部材４１の上部に形成されている手掛け部４１Ｂに手を掛けて、覆い部材４１を矢印Ｇ方向に９０度又は略９０度回動させることにより、覆い部材４１は水平姿勢又は略水平姿勢の状態となる。
【０１２７】
図１６に示されているように、水平姿勢又は略水平姿勢の状態となった覆い部材４１の上面における屋内側の先端の左右両端部近傍には、略コ字状の止着具４６がそれぞれ結合されている。また、図１４及び図１６に示されているように、上の横材９の下面における開口部４０の上辺部の左右両端部近傍にも、略コ字状の止着具４６がそれぞれ結合されている。
【０１２８】
そして、覆い部材４１に止着されている一方の側である左側の止着具４６には、紐状部材である金属製のチェーン４４の一端が結合され、上の横材９に止着されている一方の側である左側の止着部４６には、チェーン４４の他端が結合されている。また、覆い部材４１に止着されている他方の側である右側の止着具４６には、チェーン４４と同様の紐状部材である金属製のチェーン４５の一端が結合され、上の横材９に止着されている他方の側である右側の止着部４６には、チェーン４５の他端が結合されている。
【０１２９】
左右２本のチェーン４４，４５は、覆い部材４１が水平姿勢又は略水平姿勢の状態となった時点で、緊張状態となる長さを有している。したがって、これらのチェーン４４，４５は、開口部４０が開口しているときに覆い部材４１が水平姿勢又は略水平姿勢を保持するための水平姿勢保持手段となっている。
【０１３０】
以上説明した本実施形態によると、金属製のチェーンという構造の簡単な部材で覆い部材４１を水平姿勢又は略水平姿勢の状態に保持することができ、通常時においては開口部４０を覆っている覆い部材４１を物（例えば、図５に示されている花卉４７）を置く台等として利用できるようになる。
【０１３１】
このため、本実施形態によっても、バルコニー１の腰壁６自体をより有効に活用できるようになる。
【０１３２】
また、本実施形態によると、水平姿勢保持手段が金属製のチェーン４４，４５となっているので、図１４に示されているように、開口部４０を覆い部材４１が覆っているときには、チェーン４４，４５は弛んだ状態で収納空間２７へ格納される。このため、収納空間２７ではチェーン４４，４５が収納物の邪魔になることが防止される。
【０１３３】
次に、本発明の第３実施形態に係るバルコニー１の腰壁６の収納構造を説明する。
【０１３４】
図１７は、本実施形態に係るバルコニー１の腰壁６を屋外側から見た斜視図であり、図１８は、図１７に示すバルコニー１の正面図である。
【０１３５】
本実施形態における手摺り５は及び腰壁６の内部構造は、前述の第１及び第２実施形態と全く同様のものとなっている。以下、前述の第１及び第２実施形態と異なる点について、図１７及び図１８により説明する。
【０１３６】
図１７及び図１８には図示されていないが、本実施形態では、腰壁６の屋内側（図１７及び図１８では腰壁６の奥側）のサイディング７には、前述の第１及第２実施形態と同様に、腰壁６の内部に形成されている２個の収納空間２６，２７から収納物を出し入れするための２個の開口部３０，４０が形成されており、これらの開口部３０，４０を上下方向に開閉自在に覆う覆い部材３１，４１が腰壁６に回動自在に取り付けられている。
【０１３７】
一方、図１７及び図１８に示されているように、本実施形態では、腰壁６の屋外側のサイディング７には、屋内側の開口部３０と腰壁６の厚さ方向に対向し、開口部３０と同じ又は略同じ大きさ、形状を有する開口部１３０が形成されており、さらに、屋内側の開口部４０と腰壁６の厚さ方向に対向し、開口部４０と同じ又は略同じ大きさ、形状を有する開口部１４０が形成されている。
【０１３８】
このため、本実施形態では、腰壁６の厚さ方向に貫通して形成されている開口部が２個あり、それぞれの開口部における貫通方向両端の開口端部のうちの一方の開口端部が、腰壁６の屋内側のサイディング７に形成された開口部３０，４０となっており、他方の開口端部が、腰壁６の屋外側のサイディング７に形成された開口部１３０，１４０となっている。
【０１３９】
図１７及び図１８に示されているように、開口部１３０，１４０は、ガラス等の硬質樹脂又はビニール等の軟質樹脂等で形成された透視部材で塞がれている。
【０１４０】
このため、本実施形態によると、屋内側のサイディング７に形成された開口部３０，４０を覆っていた覆い部材３１，４１を屋内側下方向へ９０度又は略９０度回動させ、水平姿勢又は略水平姿勢の状態に保持された覆い部材３１，４１の上にそれぞれ花卉１３２，１４２（図１８参照）を載せた場合には、図１８に示されているように、屋外からも、屋外側のサイディング７に形成された開口部１３０，１４０を塞いでいる透視部材１３１，１４１を通じて、花卉１３２，１４２を鑑賞できるようになる。
【０１４１】
また、本実施形態によると、開口部１３０，１４０が透視部材１３１，１４１で塞がれているので、覆い部材３１，４１に載せられた花卉１３２，１４２に日光がよく当たるようになり、花卉１３２，１４２の生育が促進される。
【０１４２】
以上のように、本実施形態によっても、バルコニー１の腰壁６自体をより有効に活用できるようになる。
【０１４３】
なお、本実施形態において、開口部１３０，１４０を塞いでいる透視部材１３１，１４１は、開口部１３０，１４０に対して取り付け、取り外し自在となっていてもよく、取り外し不能となっていてもよい。開口部１３０，１４０に対して取り付け、取り外し自在とした場合には、透視部材１３１，１４１が破損、汚損等した場合には、透視部材の交換等が容易となる。
【０１４４】
次に、本発明の第４実施形態に係るバルコニー１の腰壁６の収納構造を説明する。
【０１４５】
図１９は、バルコニー１の腰壁６の斜視図で、開口部が覆い部材で覆われているときの状態を示すものであり、図２０は、腰壁６の内部構造を示す斜視図であり、図２１は、バルコニー１の腰壁６の斜視図で、開口部が開口しているときの状態を示すものであり、図１９と同様の図である。
【０１４６】
また、図２２は、図１９における覆い部材５１の拡大斜視図であり、図２３は、図１９におけるＳ２３−Ｓ２３線拡大断面図であり、どちらも、開口部が覆い部材で覆われているときの状態を示すものである。
【０１４７】
さらに、図２４は、図２２において、覆い部材を回動することにより開口部が開口しているときの状態を示す拡大斜視図であり、同様に、図２５は、図２３において、覆い部材を回動することにより開口部が開口しているときの状態を示す拡大断面図である。
【０１４８】
なお、本実施形態においても、手摺り５は、前述の第１及び第２実施形態と全く同様のものとなっており、腰壁６の内部構造は、収納空間を形成するために腰壁６の内部に配置されている一部の横材を除いて、前述の第１及び第２実施形態と同様のものとなっている。以下、前述の第１及び第２実施形態と異なる点について説明する。
【０１４９】
図１９及び図２１に示されているように、バルコニー１の腰壁６の屋内側のサイディング７には、図２０に示す腰壁６の内部に形成された収納空間２８から収納物を出し入れするための開口部５０が形成されており、この開口部５０を上下方向に開閉自在に覆う覆い部材５１が、腰壁６に対して回動自在に取り付けられている。
【０１５０】
図２２に示されているように、覆い部材５１の覆い部５２の下端部の内部には、覆い部５２の幅寸法よりも長い中心軸５５が貫通しており、この中心軸５５の左右端部は、左右の横材６１の屋内側の先端の内部に形成されている孔に挿入され、結合されている。このため、覆い部材５１は、中心軸５５を中心に腰壁６に対して上下方向に回動自在となっている。
【０１５１】
開口部５０は、前述の第１及び第２実施形態の開口部３０，４０と同じ又は略同じ大きさ、形状を有している。
【０１５２】
覆い部材５１は、図２２及び図２３に示されているように、開口部５０と同じ又は略同じ形状を有し、開口部５０を上下方向に開閉自在にする覆い部５２と、開口部５０と同じ又は略同じ形状を有し、覆い部５２が開口部５０を覆っているときには収納空間２８へ水平方向に延出する水平延出部５３とを有している。なお、覆い部５２の左右の両側端部と水平延出部５３の左右の両側端部との間には、覆い部材５１の水平姿勢を支持するための平板状の支持部材５４が取り付けられている。さらに、図２２に示されているように、覆い部材５１の覆い部５２の上部中央部又は略中央部には、前述の第１及び第２実施形態の手掛け部３１Ｄ，４１Ｂと同様の大きさ、形状を有する手掛け部５２Ａが形成されている。
【０１５３】
覆い部材５１の水平延出部５３は、前述の第１及び第２実施形態における腰壁６の内部に配置されていた上下２枚の横材９のうちの下の横材９と同じ又は略同じ厚さ寸法を有しており、また、この下の横材９と同じ又は略同じ高さ位置に配置されている。このため、本実施形態では、図１９及び図２２に示されているように、前述の第１及び第２実施形態における前記下の横材９の代わりに、腰壁６の厚さ方向に長く、サイディング７の表面まで水平方向に突出する左右２枚の横材６１が、覆い部材５１の水平延出部５３の左右両側に配置されている。なお、左右２枚の横材６１の上方には、前述の第１及び第２実施形態における上の横材９が配置されている。
【０１５４】
本実施形態では、腰壁６の内部に形成されている収納空間は２個あり、１つは、図２０及び図２３に示されているように、左右の中柱２５と、横材９と、屋外側のサイディング７と、屋内側に立設されている縦板６０とに囲まれて形成されている収納空間２８であり、もう一つは、図２３に示されているように、覆い部材５１の覆い部５２と水平延出部５３と左右２個の支持部材５４とに囲まれて形成されている収納空間２９である。
【０１５５】
本実施形態では、覆い部材５１が、覆い部５２が開口部５０を覆っているときには収納空間２８へ水平に延出する水平延出部５３を有しているため、開口部５０を開口し、収納空間２８から収納物を出し入れするためには、覆い部材５１を１８０度又は略１８０度屋内側下方向へ回動する必要がある。
【０１５６】
なお、開口部５０を覆っている状態において表面がサイディング７の表面と面一又は略面一となっている覆い部材５１を１８０度又は略１８０度回動させることにより、覆い部５２は腰壁６の屋内側のサイディング７へ当接することになるため、このサイディング７が邪魔となって、覆い部５２は、１８０度又は略１８０度まで回動することができず、言い換えると、鉛直姿勢の状態とはならない。このため、本実施形態では、図２２及び図２３に示されているように、サイディング７のうち、回動した覆い部５２が当接する部分はあらかじめ切り欠かれており、この部分は、覆い部５２と同じ又は略同じ大きさ、形状を有する開口部６２となっている。
【０１５７】
しかし、このままでは、覆い部材５１が１８０度又は略１８０度回動した状態において、覆い部５２が腰壁６側へ当接するものが存在しないことになるので、本実施形態では、図２０に示されているように、腰壁６の長さ方向である左右方向に長く、サイディング７の代わりとなる縦板６０が、腰壁６の内部に配置されている。この縦板６０の表面は、図２０に示されているように、左右の中柱２５の屋内側の表面と面一又は略面一となっている。
【０１５８】
次に、開口部５０を開口するために覆い部材５１を回動させる動作について、図２２〜図２５により説明する。
【０１５９】
図２２及び図２３は、覆い部材５１の覆い部５２が開口部５０を覆っているときの状態を示すものであるが、図２３及び図２５に示されているように、本実施形態においても、前述の第１及び第２実施形態と同様に、上の横材９の凸部９Ａの下部は切欠部９Ｃとなっており、また、覆い部５２の上端部の端面には抜け止め防止部材５６が設けられている。このため、覆い部５２が開口部５０からはずれることが防止されるとともに、覆い部５２が開口部５０をより密接に覆うものとなっている。
【０１６０】
また、図２２及び図２３に示されているように、開口部５０を開口するためには、覆い部材５１を矢印Ｈ方向、言い換えると、屋内側下方向へ１８０度又は略１８０度回動させる。
【０１６１】
これにより、図２４及び図２５に示されているように、覆い部材５１の水平延出部５３は水平姿勢又は略水平姿勢の状態となるとともに、覆い部材５１の覆い部５２は、サイディング７に形成された前記開口部６２（前述の図２２及び図２３参照）に嵌め込まれ、この開口部６２の奥側、言い換えると、屋外側に配置されている縦板６０の表面に当接することになり、この結果、覆い部材５１の水平延出部５３は、水平姿勢又は略水平姿勢の状態が保持されることになる。
【０１６２】
したがって、本実施形態では、開口部５０が開口しているときには覆い部材５１を水平姿勢又は略水平姿勢に保持するための水平姿勢保持手段は、サイディング７の代わりとなっている縦板６０の表面に当接する覆い部５２となっている。
【０１６３】
以上説明した本実施形態によると、覆い部材５１の覆い部５２が縦板６０に当接することで、覆い部材５１の水平延出部５３を物を置く台や人が座る椅子等として利用することができるようになり、バルコニー１の腰壁６自体をより有効に活用できるようになる。
【０１６４】
前述の第１実施形態では、覆い部材５１とは別部材となっている水平姿勢保持手段である脚部材３３を覆い部材３１に取り付けるものであり、開口部３０を開口させた後、この脚部材３３を鉛直下方へ延出した姿勢にさせて、この脚部材３３の先端を床に当接させなければ、覆い部材５１が水平姿勢又は略水平姿勢の状態を保持することができないものであった。
【０１６５】
しかし、本実施形態によると、覆い部材５１の覆い部５２が縦板６０に当接するだけで、水平延出部５３が水平姿勢又は略水平姿勢を保持することができるようになり、それだけ覆い部材５１の構造の簡単化を図れるようになる。
【０１６６】
また、前述の第１実施形態のように、覆い部材５１を水平姿勢又は略水平姿勢に保持するために、脚部材３３を回動させるという操作が不要となり、それだけ操作の手間が省けることになる。
【産業上の利用可能性】
【０１６７】
本発明は、壁内部に収納空間が形成されているとともに、前記壁には、前記収納空間から収納物を出し入れするための開口部が形成され、かつ、この開口部を開閉自在に覆うための覆い部材が取り付けられている建物又は建物付設物の壁に利用できる。
【図面の簡単な説明】
【０１６８】
【図１】本発明の建物の壁収納構造が適用される第１〜第４実施形態に係るバルコニー全体の側面図である。
【図２】第１及び第２実施形態に係るバルコニーの腰壁の斜視図であり、開口部が覆い部材で覆われているときの図である。
【図３】図２のＳ３−Ｓ３線断面図であり、第１実施形態に係るバルコニーの腰壁の収納構造を示す図である。
【図４】第１及び第２実施形態に係るバルコニーの腰壁の内部構造を示す斜視図である。
【図５】第１及び第２実施形態に係るバルコニーの腰壁の斜視図であり、開口部が開口しているときの図である。
【図６】第１実施形態に係る覆い部材及び左右の脚部材が開口部を覆っているときの拡大斜視図である。
【図７】図６において、覆い部材が矢印Ｂ方向へ９０度又は略９０度回動したときの拡大斜視図である。
【図８】図７において、覆い部材に取り付けられている脚部材が矢印Ｃ方向へ２７０度又は略２７０度回動し、先端部が図示しない床に当接しているときの拡大斜視図である。
【図９】第１実施形態に係る覆い部材の拡大断面図であり、覆い部材が水平姿勢又は略水平姿勢を保持しているときの図である。
【図１０】図９において、覆い部材が矢印Ｄ方向へ９０度又は略９０度回動し、開口部が覆い部材で覆われたときの図である。
【図１１】第１実施形態に係る覆い部材の脚部材の拡大断面図であり、この脚部材の先端部が図示しない床に当接しているときの図である。
【図１２】図１１において、脚部材が矢印Ｅ方向へ２７０度又は略２７０度回動したときの図である。
【図１３】図１２の脚部材の拡大図である。
【図１４】図２のＳ１４−Ｓ１４線断面図であり、第２実施形態に係るバルコニーの腰壁の収納構造を示す図である。
【図１５】第２実施形態に係る覆い部材が開口部を覆っているときの拡大斜視図である。
【図１６】図１５において、覆い部材が矢印Ｇ方向へ９０度又は略９０度回動したときの拡大斜視図である。
【図１７】第３実施形態に係るバルコニーの腰壁を屋外側から見たときの斜視図である。
【図１８】第３実施形態に係るバルコニーの腰壁を屋外側から見たときの正面図である。
【図１９】第４実施形態に係るバルコニーの腰壁の斜視図であり、開口部が覆い部材で覆われているときの図である。
【図２０】第４実施形態に係るバルコニーの腰壁の内部構造を示す斜視図である。
【図２１】第４実施形態に係るバルコニーの腰壁の斜視図であり、開口部が開口しているときの図である。
【図２２】第４実施形態に係る覆い部材が開口部を覆っているときの拡大斜視図である。
【図２３】図１９のＳ２３−Ｓ２３線断面図である。
【図２４】図２２において、覆い部材が矢印Ｈ方向へ１８０度又は略１８０度回動したときの図である。
【図２５】図２１のＳ２５−Ｓ２５線断面図であり、図２３において、覆い部材が矢印Ｈ方向へ１８０度又は略１８０度回動したときの図である。
【図２６】第１実施形態に係る覆い部材の変形例が開口部を覆っているときの拡大斜視図であり、図６と同様の図である。
【図２７】図２６において、第１実施形態に係る脚部材の変形例が取り付けられている覆い部材が矢印Ｉ方向へ９０度又は略９０度回動したときの拡大斜視図であり、図７と同様の図である。
【図２８】図２７において、脚部材が矢印Ｊ方向へ２７０度又は略２７０度回動し、先端部が図示しない床に当接しているときの拡大斜視図であり、図８と同様の図である。
【図２９】図２７に示す左右一対の脚部材のうちの一方（左側）の脚部材の拡大図である
【図３０】図２８に示す左右一対の脚部材のうちの一方（左側）の脚部材の拡大図である
【符号の説明】
【０１６９】
１  建物（建物付設物を含む）であるバルコニー
６  壁である腰壁
７  サイディング
２６，２７，２８，２９  収納空間
３０，４０  開口部（一方の開口端部）
５０  開口部
３１，４１，５１，２３１  覆い部材
３３，２３３  水平姿勢保持手段となっている脚部材
４５，４６  水平姿勢保持手段となっている紐状部材であるチェーン
５２  覆い部材の覆い部
５３  水平姿勢保持手段となっている覆い部材の水平延出部
１３０，１４０  開口部（他方の開口端部）
１３１，１４１  透視部材
【図１】
2006193931.tif 000003
【図２】
2006193931.tif 000004
【図３】
2006193931.tif 000005
【図４】
2006193931.tif 000006
【図５】
2006193931.tif 000007
【図６】
2006193931.tif 000008
【図７】
2006193931.tif 000009
【図８】
2006193931.tif 000010
【図９】
2006193931.tif 000011
【図１０】
2006193931.tif 000012
【図１１】
2006193931.tif 000013
【図１２】
2006193931.tif 000014
【図１３】
2006193931.tif 000015
【図１４】
2006193931.tif 000016
【図１５】
2006193931.tif 000017
【図１６】
2006193931.tif 000018
【図１７】
2006193931.tif 000019
【図１８】
2006193931.tif 000020
【図１９】
2006193931.tif 000021
【図２０】
2006193931.tif 000022
【図２１】
2006193931.tif 000023
【図２２】
2006193931.tif 000024
【図２３】
2006193931.tif 000025
【図２４】
2006193931.tif 000026
【図２５】
2006193931.tif 000027
【図２６】
2006193931.tif 000028
【図２７】
2006193931.tif 000029
【図２８】
2006193931.tif 000030
【図２９】
2006193931.tif 000031
【図３０】
2006193931.tif 000032